(57)【要約】【目的】  カーソル移動情報（移動量・方向情報）が更新される毎にその情報の伝送を行うことなしに必要とされるポインティングデバイスの情報をリモートコントロールされる側に与えることができるリモートコントロールシステム及び情報処理装置を提供する。【構成】  マイコン２６はリモコン送信機１０からの信号光を常時監視しており、カーソル移動情報（移動量・方向情報）を受信すると、この情報と映像復号部２２からの解像度情報（ＸＧＡ，ＳＶＧＡ等）とに基づいてカーソル座標情報を生成し、カーソルの描画位置を変化させる。また、マイコン２６は、リモコン送信機１０からクリック情報を受信すると、当該クリック情報と共に前記カーソル座標情報をパーソナルコンピュータ３０に宛てて送信インターフェイス２１Ｂを介してＬＡＮ４０上に送出する。【選択図】    図１
2005049666.tif 000002
【特許請求の範囲】
【請求項１】
第１の情報処理装置と第２の情報処理装置とが有線又は無線の通信路にて接続され、第１の情報処理装置は第２の情報処理装置から少なくとも画像を受信し、第２の情報処理装置は第１の情報処理装置から少なくともポインティングデバイスの情報を受信するリモートコントロールシステムであって、
前記第１の情報処理装置は、ポインティングデバイスからの移動量情報及び方向情報及びクリック情報を受信する手段と、前記移動量情報及び方向情報に基づいて生成したカーソル座標情報を前記クリック情報を受信した際に前記第２の情報処理装置に送信する手段と、前記第２の情報処理装置から受信したカーソル無しの画像の表示に際して前記カーソル座標情報に基づいてカーソルを当該表示画像に合成する手段と、を備え、
前記第２の情報処理装置はカーソル無しの画像を送出すると共に受信した前記カーソル座標情報に基づいて実行すべき処理を判断するように構成されたことを特徴とするリモートコントロールシステム。
【請求項２】
請求項１に記載のリモートコントロールシステムにおいて、第１の情報処理装置は投写型映像表示装置であることを特徴とするリモートコントロールシステム。
【請求項３】
ポインティングデバイスからの移動量情報及び方向情報及びクリック情報を受信する手段と、前記移動量情報及び方向情報に基づいて生成したカーソル座標情報を前記クリック情報を受信した際に送信する手段と、受信したカーソル無しの画像の表示に際して前記カーソル座標情報に基づいてカーソルを当該表示画像に合成する手段と、を備えたことを特徴とする情報処理装置。
【請求項４】
請求項３に記載の情報処理装置は投写型映像表示装置であることを特徴とする情報処理装置。
【発明の詳細な説明】
【技術分野】
【０００１】
この発明は、例えばディスプレイ側と映像供給側とが別体に構成されたシステムに適用されるリモートコントロールシステム及び情報処理装置に関する。
【背景技術】
【０００２】
例えば、図３に示すように、ディスプレイ側装置として液晶プロジェクタ１を用意し、映像供給側装置としてコンピュータ装置２を用意し、これらを情報伝送コードで接続して用いることがある。ここで、液晶プロジェクタ１にリモコン信号受光部を備え、この液晶プロジェクタ１用のリモコン３にポインティングデバイス（例えば、トラックボール，ジョイスティック等）を設けておくことで、カーソル移動情報（移動量情報・方向情報）やクリック情報をリモコン３を用いて液晶プロジェクタ１に与えることが可能になる。そして、この場合において、前記カーソル移動情報やクリック情報を液晶プロジェクタ１からコンピュータ装置２に送信し、このコンピュータ装置２側でカーソル座標を生成し、送信画像にカーソル画像を合成して送信することができる。このようなシステムには、下記に示す特許文献１に開示された技術を用いることができる。
【０００３】
この特許文献１のシステム概要を当該文献の文言を借りて示すと以下の通りである。「リモコン送信機は利用者の操作に応じて赤外線信号を発生する。提示ユニットが備えるリモコン信号受光部は、リモコン送信機が出力する赤外線信号をリモコンデータに変換する。パケット生成部はリモコンデータをＬＡＮ等の通信回線の信号伝送に適するよう、データに宛先アドレスや送信元アドレス等のオーバーヘッドを付加してパケット化する。ネットワークインタフェースはこのリモコンデータパケットを通信回線に送り出す。このようにして、提示ユニットにて受信したリモコン送信機からのリモコンデータはホストに送られる。ホスト（ＰＣ）側のネットワークインタフェースは、通信回線を介して送られてきたリモコンデータパケットを受けてデータ分離部に渡す。データ分離部は、リモコンデータパケットのフレームから宛先アドレスや送信元アドレス等のオーバーヘッドを除去し、リモコンデータを取り出す。データ変換部は、リモコンデータをキーボード等ＰＣ入力機器の種類に応じた入力信号と等価な入力データに変換し、入出力データ制御部に入力する。入出力データ制御部は、操作部（キーボード）またはデータ変換部からのデータに応じて外部記憶装置から提示用のデータを読み出して、提示制御部に送る。提示制御部は提示用のデータを復号し、画像展開部に出力する。画像展開部は、画像データを映像信号に変換し、表示部（ディスプレイ）に出力する。表示部（ディスプレイ）は、この映像をＣＲＴやＬＣＤ等に表示する。画像キャプチャ部は画像展開部から表示部（ディスプレイ）に表示されるイメージをキャプチャし（取り込み）、画像データに変換してパケット生成部に送る。パケット生成部は画像データを通信回線の伝送に適するようオーバーヘッドを付加してパケット化し、通信回線を介して提示ユニットに送出する。提示ユニットでは、ネットワークインタフェースが受けた通信回線からの画像データパケットをデータ分離部に渡す。データ分離部は、画像データパケットのフレームからオーバーヘッドを取り除いて画像データを取り出す。画像データ復号部は画像データを復号し、画像展開部に展開する。画像展開部は、展開された画像データをＲＧＢやコンポジット信号のような映像信号に変換し、投影処理部（プロジェクタ）に出力する。投影処理部（プロジェクタ）は、この映像をスクリーン等に拡大投影する。」
【特許文献１】特開２００２−６４７２５号公報
【発明の開示】
【発明が解決しようとする課題】
【０００４】
しかしながら、このようなシステムにおいて、カーソル移動情報が更新される毎にその情報の伝送を行うと、情報伝送路に十分なデータを送受信できる速度が確保されていない場合や、或いはクライアントＰＣ（提示ユニット）およびサーバーＰＣ（ホストＰＣ）に十分にデータを送受信できる処理能力がない場合は、カーソル情報以外の例えば画像情報などの送受信が遅れてしまうおそれがある。すなわち、リアルタイムでデータをやり取りすることができないときには、クライアントＰＣの表示デバイス上でマウスカーソルが円滑に表示されず、また、マウス情報の伝送を優先するときには画像情報の送受信が遅れるといったことが生じ、操作性が悪くなるという問題がある。
【０００５】
この発明は、上記の事情に鑑み、カーソル移動情報が更新される毎にその情報の伝送を行うことなしに必要とされるポインティングデバイスの情報を与えることができるリモートコントロールシステム及び情報処理装置を提供することを目的とする。
【課題を解決するための手段】
【０００６】
この発明のリモートコントロールシステムは、上記の課題を解決するために、第１の情報処理装置と第２の情報処理装置とが有線又は無線の通信路にて接続され、第１の情報処理装置は第２の情報処理装置から少なくとも画像を受信し、第２の情報処理装置は第１の情報処理装置から少なくともポインティングデバイスの情報を受信するリモートコントロールシステムであって、前記第１の情報処理装置は、ポインティングデバイスからの移動量情報及び方向情報及びクリック情報を受信する手段と、前記移動量情報及び方向情報に基づいて生成したカーソル座標情報を前記クリック情報を受信した際に前記第２の情報処理装置に送信する手段と、前記第２の情報処理装置から受信したカーソル無しの画像の表示に際して前記カーソル座標情報に基づいてカーソルを当該表示画像に合成する手段と、を備え、前記第２の情報処理装置はカーソル無しの画像を送出すると共に受信した前記カーソル座標情報に基づいて実行すべき処理を判断するように構成されたことを特徴とする。
【０００７】
上記の構成であれば、第１の情報処理装置はポインティングデバイスからの移動量情報及び方向情報に基づいて生成したカーソル座標情報にて受信画像にカーソルを合成表示するので、第１の情報処理装置のユーザはカーソル表示された受信画像を見ながらポインティングデバイスの操作を行うことができる。そして、第１の情報処理装置はクリック情報を受信した際にカーソル座標情報を第２の情報処理装置に送信するので、逐次にカーソルの移動量・方向情報を第２の情報処理装置に伝送するのに比べて通信情報は少なくなり、画像等の伝送に支障をきたすことが少なくなる。
【０００８】
また、この発明の情報処理装置は、ポインティングデバイスからの移動量情報及び方向情報及びクリック情報を受信する手段と、前記移動量情報及び方向情報に基づいて生成したカーソル座標情報を前記クリック情報を受信した際に送信する手段と、受信したカーソル無しの画像の表示に際して前記カーソル座標情報に基づいてカーソルを当該表示画像に合成する手段と、を備えたことを特徴とする。
【０００９】
前記リモートコントロールシステムにおける第１の情報処理装置又は上記情報処理装置は投写型映像表示装置であってもよい。
【発明の効果】
【００１０】
以上説明したように、この発明によれば、カーソル移動情報（移動量・方向情報）が更新される毎にその情報の伝送を行うことなしに必要とされるポインティングデバイスの情報をリモートコントロールされる側に与えるので、情報通信量を少なくしてリモートコントロールの操作性を向上することができるという効果を奏する。
【発明を実施するための最良の形態】
【００１１】
以下、この発明の実施形態を図１及び図２に基づいて説明する。
【００１２】
図１はこの実施形態のリモートコントロールシステムを示したブロック図である。このリモートコントロールシステムは、第１の情報処理装置である液晶プロジェクタ２０と第２の情報処理装置であるパーソナルコンピュータ３０とが有線又は無線の通信路（この実施形態ではＬＡＮ（ローカルエリアネットワーク）４０としている）にて接続されて成り、液晶プロジェクタ２０はパーソナルコンピュータ３０から少なくとも画像を受信し、パーソナルコンピュータ３０は液晶プロジェクタ２０から少なくともポインティングデバイスの情報を受信する。ここで、パーソナルコンピュータ３０がリモコン送信機１０（液晶プロジェクタ２０）によるリモートコントロールの対象となる。
【００１３】
パーソナルコンピュータ３０からＬＡＮ４０を介して伝送された符号映像は受信インターフェイス２１Ａを介して映像復号部２２に与えられ、復号処理がなされ、映像信号となって映像信号処理回路２３に与えられる。映像信号処理回路２３は映像信号に対する各種の処理を行う他、ＯＳＤ（オンスクリーンディスプレイ）機能を備え、マイコン（マイクロコンピュータ）２６から出力指示された文字情報や図形情報に基づく映像信号を生成し、この映像信号を受信映像信号に組み込む処理を行う。ガンマ補正回路２４は液晶ライトバルブ（ＬＣＤ）２５の印加電圧−光透過特性に鑑みた補正処理を行い、この補正後の映像信号（映像データ）を液晶ライトバルブ２５に与える（駆動する）。
【００１４】
リモコン送信機１０は、各種のキー及びポインティングデバイス（例えば、トラックボール，ジョイスティック、方向キー群等）１０ａを備えて液晶プロジェクタ２０に各種指令を送出するものであり、前記キーを操作すると、そのキーに対応した指令を意味するリモコン信号光が発光部から送出される。また、前記ポインティングデバイス１０ａを操作すると、カーソル移動情報（移動量・方向情報）やクリック情報となるリモコン信号光が発光部から送出される。リモコン信号受光部２７は、前記信号光を受光し、これを電気信号に変換してマイコン２６に与える。
【００１５】
マイコン２６は、リモコン送信機１０からのリモコン信号光を常時監視しており、カーソル移動情報（移動量・方向情報）を受信すると、この移動量・方向情報と映像復号部２２からの解像度情報（ＸＧＡ，ＳＶＧＡ等）とに基づいてカーソル座標情報を生成し、映像信号処理回路２３に与える。映像信号処理回路２３のＯＳＤ機能部は、カーソル（例えば、矢印画像，色変え変化画像）の描画位置を前記カーソル座標情報に基づいて変化させる。例えば、パーソナルコンピュータ３０側の描画データ上でファイルのアイコンが描画されていれば、液晶プロジェクタ２０の投写映像上でも当該アイコンが表示されることになり、前記ポインティングデバイス１０ａを操作してカーソルを前記アイコン上に重ねるといった処理をユーザは投写映像を見ながら行うことができる。また、マイコン２６は、リモコン送信機１０からのクリック情報を受信すると、当該クリック情報と共に前記カーソル座標情報をパーソナルコンピュータ３０に宛てて送信インターフェイス２１Ｂを介してＬＡＮ４０上に送出する。
【００１６】
パーソナルコンピュータ３０は、符号映像としてカーソル無しの映像を送出すると共に受信した前記カーソル座標情報及び前記クリック情報に基づいて所定の処理を実行する。例えば、パーソナルコンピュータ３０の描画データ上でファイルのアイコンが存在しており、前記クリック情報を受信した際に前記アイコンの表示座標と前記カーソル座標情報とが合致しているときには、前記ファイルを開いた状態の描画データを生成すると共にその符号映像を送信する処理を実行することになる。
【００１７】
これにより、図２に示しているごとく、液晶プロジェクタ３０がパーソナルコンピュータ３０にリモートアクセスして画像等の情報を送信させ、液晶プロジェクタ３０側で受信画像にカーソルを付加して投写表示することになり、かかるリモートアクセスにおいては、リモコン送信機１０においてクリックがなされたときに、そのときのカーソル座標情報をクリック情報と共にパーソナルコンピュータ２０に送信するから、逐次にカーソルの移動量・方向情報をパーソナルコンピュータ２０に伝送するのに比べて、リモートアクセスのための通信情報は格段に少なくなり、画像等の伝送に支障をきたすことが少なくなる。
【００１８】
なお、液晶プロジェクタ２０とパーソナルコンピュータ３０との接続に際して液晶プロジェクタ２０側から「カーソル非表示」の指令を与えることにより、パーソナルコンピュータ３０において送信画像としてカーソル無しの画像を生成するようにすることができる。また、液晶プロジェクタ２０側からポインティングデバイスに関する情報が「移動量・方向情報」ではなく、「カーソル座標情報」であることの情報を与えることで、パーソナルコンピュータ３０（アプリケーションソフトウェア）側にその旨の認識をさせることができる。また、上記の例では、カーソル座標情報とクリック情報とをパーソナルコンピュータ３０に送信することとしたが、パーソナルコンピュータ３０側において、カーソル座標情報が送信されてくるのはクリックが行われたときであるとの判断を行うようにしておくことにより、クリック情報の送信を省くようにしてもよい。
【００１９】
また、上記の実施形態では、液晶プロジェクタ２０が通信機能を備えてパーソナルコンピュータ３０のリモートコントロールを行ったが、従来項で示した特許文献１のごとく、リモコン送信機付きの提示ユニットを第１の情報処理装置としてこれにプロジェクタを接続し、上記提示ユニットが通信機能を備えてコンピュータをリモートコントロールする構成としてもよい。また、この発明のリモートコントロールシステムは、ディスプレイ側と表示情報供給側とが別体に構成されたシステムに適用できるものであり、ディスプレイ側はプロジェクタに限るものではないことは勿論である。
【図面の簡単な説明】
【００２０】
【図１】この発明の実施形態のリモートコントロールシステムを示したブロック図である。
【図２】この発明の実施形態のリモートコントロールシステムにおける伝送情報を概念的に示した説明図である。
【図３】従来のリモートコントロールシステムにおける伝送情報を概念的に示した説明図である。
【符号の説明】
【００２１】
１０    リモコン送信機
２０    液晶プロジェクタ
２６    マイコン（マイクロコンピュータ）
３０    パーソナルコンピュータ
４０    ＬＡＮ
【図１】
2005049666.tif 000003
【図２】
2005049666.tif 000004
【図３】
2005049666.tif 000005